(57)【要約】【課題】  緩衝器の取付長を短くすることが可能な取付構造を提供することである。【解決手段】  緩衝器の端部に設けた球体を抱持する保持部をブラケットに取付ける取付構造において、保持部の側部緩衝器側にブラケットに連結される鍔部を設けることにより、保持部４の軸方向長さの中にブラケット１０の厚み、ボルトＢもしくはナットＮの長さが収まることとなり、緩衝器１の取付長Ｌ１は短くなる。【選択図】      図１
2006002866.tif 000002
【特許請求の範囲】
【請求項１】
端部に設けた球体を抱持する保持部を備えた緩衝器を一方体および他方体に取付けるブラケットにおいて、保持部が斜めに挿通可能な孔もしくは切欠を設けたことを特徴とするブラケット。
【発明の詳細な説明】
【技術分野】
【０００１】
本発明は緩衝器を取付けるブラケットの改良に関し、特に、緩衝器の端部に設けた球体を抱持する抱持部を一方体および他方体に取付けるブラケットに関する。
【背景技術】
【０００２】
たとえば、構造物の耐震性を向上させるために、図６に示すように、上梁Ｂ１と下梁Ｂ２との間に設けた間柱Ｓを途中で分割し、この分割された一方体たる上側間柱ｓ１と他方体たる下側の間柱ｓ２の間に緩衝器Ｄを介装して、構造物に作用する振動を減衰させているものがある。
【０００３】
このような制振装置で使用される緩衝器Ｄを間柱ｓ１，ｓ２間に介装する方法としては種々あるが、特に、いわゆるボールジョイントを介して間柱ｓ１，ｓ２に取付けるものとしては、たとえば、図７に示すように、緩衝器Ｄの端部に設けた球体Ｒと、該球体Ｒを抱持する保持部Ｔとでボールジョイントを構成するとともに、この保持部Ｔを間柱ｓ１，ｓ２に起立したブラケットたるＬ字状のプレートＰに連結するものがある（たとえば、特許文献１参照）。
【０００４】
そして、この場合にあっては、保持部Ｔの先端部にフランジＦを設け、該フランジＦをプレートＰに対面させるとともに、ボルトとナットによりフランジＦとプレートＰを挟持して連結するとしている。
【０００５】
ここで、間柱Ｓは、上述のように構造物の柱と梁Ｂ１で作られるラーメン内に設けられるが、該ラーメン内に窓や出入口等の開口部を設ける場合、当該間柱Ｓは邪魔となるので、できるだけ間柱Ｓの幅を小さくする方が好ましい。
【０００６】
しかしながら、間柱ｓ１，ｓ２間に介装される緩衝器Ｄは、図７に示すがごとく、間柱Ｓ間に並行に寝かせた状態で介装されるので、間柱Ｓの幅は、プレートＰ、ボルトもしくはナット長を含めた緩衝器の取付長Ｌを確保しなくてはならず、間柱Ｓの幅を小さくすることの弊害となっている。
【０００７】
また、上記間柱ｓ１，ｓ２間以外でも一般的に狭い搭載スペースに緩衝器を介装する必要がある場合には、上記取付長Ｌを小さくしたいという要請もある。
【０００８】
そこで、取付長Ｌを小さくするには、たとえば、図８に示すように、フランジＦを保持部Ｔの緩衝器Ｄ側に設け、さらに、プレートＰに保持部Ｔが挿通可能な孔を設けて、フランジＦとプレートＰとを連結する提案が成し得る。
【特許文献１】特開２００２-２７６９９１号公報（段落番号００２０，図１）
【発明の開示】
【発明が解決しようとする課題】
【０００９】
しかし、上記提案では取付長Ｌを短くすることが可能ではあるが、以下の不具合があると指摘される危険がある。
【００１０】
すなわち、特にプレートＰが、あらかじめ間柱ｓ１，ｓ２に植設のアンカーボルトＡに固定されている場合には、緩衝器Ｄを各プレートＰに連結するには、緩衝器Ｄが狭いスペースに搭載されることもあり、プレートＰを緩衝器Ｄに先んじて上下の間柱ｓ１，ｓ２にアンカーボルトＡで固定しておき、緩衝器Ｄを一端圧縮するとともに、保持部Ｔの角度を調節しつつ、各プレートＰの孔内に両端の保持部Ｔを挿通して行う必要がある。
【００１１】
このとき、特に、制振用途の緩衝器Ｄにあっては、地震による構造物の振動を抑制するものであるから、緩衝器Ｄを圧縮するには非常に大きな力が必要となる。
【００１２】
また、緩衝器Ｄの端部に設けられたボールジョイントは、保持部Ｔの角度を緩衝器Ｄの軸線に対しある程度の範囲ではあるが変える事ができるが、制振用途の緩衝器Ｄにあっては、球体Ｒを保持部Ｔで締めつけることによりガタを抑制しているので、保持部Ｔの角度調節には非常に大きなトルクを必要とする。
【００１３】
したがって、上記提案では、緩衝器Ｄの間柱ｓ１，ｓ２間への取付作業は、煩雑で重労働となる恐れがある。
【００１４】
また、場合によっては、緩衝器Ｄの間柱ｓ１，ｓ２間や狭い搭載スペースへの取付が困難となり、結果的に、上記提案では取付長Ｌを短くすることができなくなるという恐れがある。
【００１５】
そこで、本発明は上記不具合を改善するために創案されたものであって、その目的とするところは、緩衝器の取付長を短くしても取付作業が容易なブラケットを提供することである。
【課題を解決するための手段】
【００１６】
上記の目的を達成するため、本発明の課題解決手段は、端部に設けた球体を抱持する保持部を備えた緩衝器を一方体および他方体に取付けるブラケットにおいて、保持部が斜めに挿通可能な孔もしくは切欠を設けたことを特徴とする。
【発明の効果】
【００１７】
本発明によれば、緩衝器の取付作業が容易となり、作業者の負担も軽減されることとなる。
【００１８】
また、緩衝器の間柱間や狭い搭載スペースへの取付を確実に行えることとなるので、結果的に、取付長を短くすることができなくなるという不具合もない。
【発明を実施するための最良の形態】
【００１９】
以下、本発明を、図に示した実施の形態にもとづいて説明する。図１は、一実施の形態におけるブラケットを用いて緩衝器を取付けた状態を示す図である。図２は、一実施の形態におけるブラケットの斜視図である。図３は、一実施の形態におけるブラケットの正面図である。図４は、一実施の形態におけるブラケットに緩衝器を取付ける工程を示した図である。図５は、他の実施の形態におけるブラケットの斜視図である。
【００２０】
なお、本発明に係るブラケットは、制振装置に具現化されており、この制振装置は、図６に示した従来の制振装置と同様に、一方体たる間柱ｓ１と、他方体たる間柱ｓ２との間に緩衝器１を介装させたものである。
【００２１】
そして、緩衝器１は、シリンダ２と、シリンダ２内にピストン（図示せず）を介して移動自在に挿入されたロッド３とを備え、シリンダ２内に作動油等の液体が充填されたいわゆる両ロッド型の緩衝器として構成され、ロッド３がシリンダ２に対し出没するときに所定の減衰力を発生するように設定されている。
【００２２】
なお、本実施の形態のように制振用途に供される場合には、緩衝器１に、シリンダロック機能を搭載させても良い。
【００２３】
また、緩衝器１の端部、すなわち、ロッド３の図１中左端およびシリンダ２の図１中右端には、いわゆるボールジョイントが設けられており、このボールジョイントは、ロッド３端およびシリンダ２端にそれぞれ結合された球体６と、球体６を抱持する保持部４と、保持部４の側部緩衝器側に延設された鍔部５とで構成されている。
【００２４】
以下、各部について詳細に説明すると、保持部４は、内部に球体６を摺動自在に抱持できるように中空部を設けてあり、具体的にたとえば、図示はしないが、保持部４は、２つの部材で構成され、一方の部材は、球体６を受けられるように、半球状の凹部が設けられ、他方の部材は、球体６を受けられるように半球状の凹部が設けられるとともに、ロッド３が挿通可能なようにその軸芯部に該凹部に連通する孔が設けられ、この一方の部材と他方の部材とで球体６を挟み込むことにより、球体６は保持部４に締めつけられるとともに摺動自在に抱持されることとなる。
【００２５】
また、保持部４の側部には、上記したように、その緩衝器１側に鍔部５が延設され、この鍔部５には、複数箇所にボルトＢが挿通可能なようにボルト孔（図示せず）が設けられている。
【００２６】
そして、一方体および他方体たる間柱ｓ１，ｓ２にそれぞれ固定されているブラケット１０は、図２に示すように、Ｌ字板状に形成され、間柱ｓ１，ｓ２に植設のアンカーボルトＡにナットＡＮにより固着される板状の基部１１と、基部１１から垂直に立ち上がる板状のプレート部１２と、プレート部１２に設けた上記保持部４が挿通される孔１３と、この孔１３に干渉しない位置に穿設した上記鍔部５に設けたボルト孔に符合する複数のボルト孔１４とで構成されている。
【００２７】
また、孔１３は、図３に示すように、図３中上下方向が長軸となる長孔であって、この孔１３の長軸の長さは保持部４の外径に対し充分に長く設定されており、孔１３に対し保持部４を斜めに挿通することが可能なようになっている。
【００２８】
なお、孔１３の短軸の長さについては、孔１３への保持部４の挿通に不都合が無いように多少保持部４の外径より長めに設定されている。
【００２９】
そして、ブラケット１０，１０を介して緩衝器１を間柱ｓ１，ｓ２間に取付けるには、図４に示すように、まず、一方のブラケット１０を一方体たる間柱ｓ１にアンカーボルトＡを利用して取付けておく。
【００３０】
そのうえで、緩衝器１のロッド３側の保持部４を他方のブラケット１０の孔１３に相通しておき、緩衝器１を多少縮めつつシリンダ２側の保持部４をすでに間柱ｓ１に取付けてあるブラケット１０の孔１３に斜めに挿通する。
【００３１】
その状態で、緩衝器１のロッド３側を図４中下方に移動させて、他方のブラケット１０の基部１１に設けた孔１５内に間柱ｓ２に植設のアンカーボルトＡを挿入して、他方のブラケット１０を間柱ｓ２にアンカーボルトＡおよびナットＡＮで固定する。
【００３２】
つづいて、緩衝器１の各保持部４の鍔部５と各ブラケット１０のプレート部１２とを上記ボルト孔同士を符合させつつ対面させ、該ボルト孔に挿入したボルトＢと、ナットＮでプレート部１２および鍔部５を挟持するようにする。
【００３３】
かくして、緩衝器１は、ブラケット１０，１０を介して一方体たる間柱ｓ１および他方体たる間柱ｓ２に取付けられるが、その取付の際に、図４に示したように、保持部４を孔１３に対し斜めに挿通することが可能であるので、保持部４を回動等させて緩衝器１の軸線に対し角度調節を行う必要が無く、また、取付時の緩衝器１の圧縮距離も短くて済むこととなるので、緩衝器１の取付長Ｌ１を短くすることができるとともに、緩衝器１の間柱ｓ１，ｓ２間への取付作業は、容易となり、作業者の負担も軽減されることとなる。
【００３４】
したがって、緩衝器１の間柱ｓ１，ｓ２間や狭い搭載スペースへの取付を確実に行えることとなるので、結果的に、取付長を短くすることができなくなるという不具合もない。
【００３５】
そして、取付長Ｌ１が従来より短くなるので、間柱Ｓの幅を小さくすることが可能となり、また、狭いスペースへの緩衝器の搭載性を向上させることが可能となる。
【００３６】
さらに、間柱Ｓの幅を小さくすることが可能であることから、構造体の柱と梁で作られるラーメンに対する間柱Ｓの占有面積が小さくなるので、ラーメンを壁以外の用途に使用することができる。
【００３７】
すなわち、ラーメン内に出入口、給排気および給排水等の配管設備、通風設備、採光設備等のいわゆる非構造部材を設けることが可能となり、複数のラーメンを組み合せて完成される構造物の設計に当り、構造物への非構造部材の配置の自由度を飛躍的に高められる。そして、構造物の設計自由度が高められるので、設計者の設計上の負担も軽減される。
【００３８】
ちなみに、本実施の形態においては、孔１３は図３中上下方向が長軸とされる長孔であるが、緩衝器１の搭載スペースとブラケット１０の一方体および他方体への取付位置等の関係に応じて、孔１３の長軸の向きを効率的に緩衝器１を取付けることができるように任意に設定すればよい。
【００３９】
なお、本実施の形態では、プレート部１２を板状に形成しているが他の形状とされてもよく、また、該プレート部１２に保持部４を挿通可能なように孔を設けているが、プレート部１２と鍔部５とを対面させて連結できればよいので、たとえば、図５に示す他の実施の形態のブラケット２０のように、孔１３の替わりにプレート部２２の図５中側方からその中心部に向う切欠２１を設けてもよく、また、図示はしないが、プレート部の上方からその中心部に向う切欠を設けるとしてもよい。
【００４０】
他の実施の形態におけるブラケット２０にあっては、各ブラケット２０を先に間柱ｓ１，ｓ２に固定しておけばよく、それから保持部４を側方から各切欠２１内に挿通することができるので、緩衝器１を取付ける際に圧縮する必要がなくなるので、その取付が一層容易となるとともに、この場合にも保持部４を側方から斜めに切欠２１内に挿通させることが可能であるから、取付時のブラケット１０，１０に対する緩衝器１自体の角度調整も精緻に行う必要が無いので、作業者の負担も一層軽減されることとなる。
【００４１】
なお、該切欠をプレート部の上方から開口させる場合には、一実施の形態と同様に取付が容易となることは無論であるが、他の実施の形態と同様に、先にブラケットを間柱ｓ１，ｓ２に固定しておくことが可能であるから、取付作業が一層容易となる。
【００４２】
また、プレート部１２と鍔部５との連結は、ボルトＢおよびナットＮで行う以外にも、溶接や接着等によってもよく、この場合にも、取付長Ｌ１を従来の取付構造よりも短くすることができる。
【００４３】
以上で、本発明の実施の形態についての説明を終えるが、本発明の範囲は図示されまたは説明された詳細そのものには限定されないことは勿論である。
【図面の簡単な説明】
【００４４】
【図１】一実施の形態におけるブラケットを用いて緩衝器を取付けた状態を示す図である。
【図２】一実施の形態におけるブラケットの斜視図である。
【図３】一実施の形態におけるブラケットの正面図である。
【図４】一実施の形態におけるブラケットに緩衝器を取付ける工程を示した図である。
【図５】他の実施の形態におけるブラケットの斜視図である。
【図６】間柱に緩衝器を介装した制振装置を示す概略図である。
【図７】従来のブラケットが具現化された緩衝器の正面図である。
【図８】従来のブラケットが具現化された緩衝器の正面図である。
【符号の説明】
【００４５】
１  緩衝器
２  シリンダ
３  ロッド
４  保持部
５  鍔部
６  球体
１０，２０  ブラケット
１１  基部
１２，２２  プレート部
１３  孔
１４  ボルト孔
１５  孔
２１  切欠
Ａ    アンカーボルト
ＡＮ，Ｂ    ボルト
Ｎ    ナット
Ｓ    間柱
ｓ１  一方体たる間柱
ｓ２  他方体たる間柱
【図１】
2006002866.tif 000003
【図２】
2006002866.tif 000004
【図３】
2006002866.tif 000005
【図４】
2006002866.tif 000006
【図５】
2006002866.tif 000007
【図６】
2006002866.tif 000008
【図７】
2006002866.tif 000009
【図８】
2006002866.tif 000010